(57)【特許請求の範囲】
【請求項１】
加湿器に適用される水流制御器であって、
水タンク、磁性を有するコントロールユニット、水溝、及び電磁石を備え、前記水タンクの第１の水出口及び前記水溝の水入口の間が前記コントロールユニットを介して接続される水流制御器であって、
前記電磁石が導電状態にあると、前記第１の水出口及び前記水入口の間の通路が前記コントロールユニットの制御によって連通状態になり、
前記電磁石が断電状態にあると、前記第１の水出口及び前記水入口の間の通路が前記コントロールユニットの制御によって遮断状態になり、
前記水タンクが前記水溝の上方に位置されるとともに、前記第１の水出口が前記水入口に対向され、
前記コントロールユニットは、スプリング、磁性を有する第１の部材、前記第１の部材の上に位置されるとともに前記第１の部材に平行する第２の部材、前記第１の部材と前記第２の部材との間に位置する接続部材を備え、
前記スプリングが前記接続部材に挿通され、
前記第１の部材が前記第１の水出口の下を覆うとともに、前記水タンクの外壁に密着し、前記スプリングが前記水タンクの内壁及び前記第２の部材の間に位置されるとともに圧縮状態にあり、
前記第１の部材が磁石又は鉄であり、或いは、前記第１の部材の下面に磁石又は鉄が設けられ、
前記磁石の磁性が前記電磁石の導電状態にあるときの磁性と逆であることを特徴とする水流制御器。
【請求項２】
前記第１の部材及び前記水タンクの外壁の間にシールリングが設けられることを特徴とする請求項１に記載の水流制御器。
【請求項３】
前記水溝内に、前記電磁石が導電状態又は断電状態になるように制御するための少なくとも１つの水位センサーが設けられることを特徴とする請求項１又は請求項２に記載の水流制御器。
【請求項４】
前記水溝の第２の水出口が、前記水槽中の水を霧化して排出させるためのミスト発生器に接続されることを特徴とする請求項１乃至請求項３のいずれか１項に記載の水流制御器。
【請求項５】
請求項１乃至請求項４のいずれか１項に記載の水流制御器に適用される水流制御方法であって、前記方法は、
前記水溝中の水位が入水条件を満足するか否かを検出するステップと、
前記水位が前記入水条件を満足すると、前記電磁石が導電状態になるように制御し、導電状態にある前記電磁石により前記コントロールユニットをトリガーして、前記第１の水出口及び前記水入口の間の通路が連通状態になるように制御して、前記水タンク中の水流が前記第１の水出口から前記水入口へ流れるようにさせるステップと、
前記水位が前記入水条件を満足しないと、前記電磁石が断電状態になるように制御し、前記コントロールユニットにより、前記第１の水出口及び前記水入口の間の通路が遮断状態になるように制御して、前記水タンク中の水流が前記第１の水出口から前記水入口へ流れないようにさせるステップと、を含み、
前記導電状態にある前記電磁石により前記コントロールユニットをトリガーして、前記第１の水出口及び前記水入口の間の通路が連通状態になるように制御するステップは、
前記磁石の磁性が前記電磁石の導電状態にあるときの磁性と逆である場合、導電状態にある前記電磁石により前記第１の部材を吸引して、前記第１の部材及び前記水タンクの外壁の間に隙間が形成されるようにして、前記第１の水出口及び前記水入口の間の通路が連通状態になるようにさせるステップ
を含むことを特徴とする水流制御方法。
【請求項６】
前記コントロールユニットにより、前記第１の水出口及び前記水入口の間の通路が遮断状態になるように制御するステップは、
前記磁石の磁性が前記電磁石の導電状態にあるときの磁性と逆である場合、圧縮状態にあるスプリングにより前記第１の部材及び前記外壁が密着するようにさせて、前記第１の水出口及び前記水入口の間の通路が遮断状態になるようにさせるステップを含むことを特徴とする請求項１又は２に従属する請求項５に記載の水流制御方法。
【請求項７】
前記水流制御器がさらにミスト発生器を備えると、前記方法は、
前記ミスト発生器により前記水溝中の水を霧化して排出させるステップをさらに含むことを特徴とする請求項５又は請求項６に記載の水流制御方法。
【請求項８】
請求項１乃至請求項４のいずれか１項に記載の水流制御器と、
プロセッサーと、
プロセッサーにより実行可能な命令を記憶するためのメモリと、を備える水流制御装置であって、前記プロセッサーが、
前記水溝中の水位が入水条件を満足するか否かを検出し、
前記水位が前記入水条件を満足すると、前記電磁石が導電状態になるように制御し、導電状態にある前記電磁石により前記コントロールユニットをトリガーして、前記第１の水出口及び前記水入口の間の通路を連通状態になるように制御して、前記水タンク中の水流が前記第１の水出口から前記水入口へ流れるようにさせ、
前記水位が前記入水条件を満足しないと、前記電磁石が断電状態になるように制御し、断電状態にある前記電磁石により前記コントロールユニットをトリガーして、前記第１の水出口及び前記水入口の間の通路を遮断状態になるように制御して、前記水タンク中の水流が前記第１の水出口から前記水入口へ流れないように配置され、
前記導電状態にある前記電磁石により前記コントロールユニットをトリガーして、前記第１の水出口及び前記水入口の間の通路が連通状態になるように制御することは、
前記磁石の磁性が前記電磁石の導電状態にあるときの磁性と逆である場合、導電状態にある前記電磁石により前記第１の部材を吸引して、前記第１の部材及び前記水タンクの外壁の間に隙間が形成されるようにして、前記第１の水出口及び前記水入口の間の通路が連通状態になるようにさせることを含む、ことを特徴とする水流制御装置。
【請求項９】
プロセッサーに実行されることにより、請求項５又は請求項７に記載の水流制御方法を実現する、プログラム。
【請求項１０】
請求項９に記載のプログラムが記録されたコンピュータ読取可能な記録媒体。
【発明の詳細な説明】
【技術分野】
【０００１】
本発明は、水流制御分野に関し、特に、水流制御器、水流制御方法、水流制御装置、プログラム及び記録媒体に関する。
【背景技術】
【０００２】
人々の生活品質の向上につれて、益々多くのユーザーが加湿器を使って水分を補い、湿度を維持する。通常、加湿器には、水タンク、水溝、ブイ、及びミスト発生器が配置される。水溝中の水位が予定の水位に達すると、ブイはその所在位置のユニットを制御することで、水タンク及び水溝の間の水入口を塞ぐ。また、水溝中の水位が予定の水位に達しないと、ブイはその所在位置のユニットを制御することで、水タンク及び水溝の間の水入口を開放して、水タンク中の水が水溝に流れるようにする。ミスト発生器は、水溝中の水を霧化して排出させるように構成される。
【発明の概要】
【発明が解決しようとする課題】
【０００３】
本発明は、関連技術に存在する問題を解決するために、水流制御器、水流制御方法、水流制御装置、プログラム及び記録媒体を提供する。
【課題を解決するための手段】
【０００４】
本発明の第１の態様は、水流制御器を提供し、前記水流制御器は、水タンク、磁性を有するコントロールユニット、水溝、及び電磁石を備え、前記水タンクの第１の水出口及び前記水溝の水入口の間が前記コントロールユニットを介して接続される水流制御器であって、
前記電磁石が導電状態にあると、前記第１の水出口及び前記水入口の間の通路が前記コントロールユニットの制御によって連通状態になり、
前記電磁石が断電状態にあると、前記第１の水出口及び前記水入口の間の通路が前記コントロールユニットの制御によって遮断状態になる。
【０００５】
好ましくは、前記水タンクが前記水溝の上方に位置されるとともに、前記第１の水出口が前記水入口に対向され、
前記コントロールユニットは、スプリング、磁性を有する第１の部材、前記第１の部材の上に位置されるとともに前記第１の部材に平行する第２の部材、前記第１の部材と前記第２の部材との間に位置する接続部材を備え、前記スプリングが前記接続部材に挿通される。
【０００６】
好ましくは、前記第１の部材が前記第１の水出口の下を覆うとともに、前記水タンクの外壁に密着し、前記スプリングが前記水タンクの内壁及び前記第２の部材の間に位置されるとともに圧縮状態にあり、
前記第１の部材が磁石又は鉄であり、或いは、前記第１の部材の下面に磁石又は鉄が設けられ、
前記磁石の磁性が前記電磁石の導電状態にあるときの磁性と逆である。
【０００７】
好ましくは、前記第１の部材及び前記水タンクの外壁の間にシールリングが設けられる。
【０００８】
好ましくは、前記第２の部材が前記第１の水出口の上を覆うとともに、前記水タンクの内壁に密着し、前記スプリングが前記水タンクの外壁及び前記第１の部材の間に位置されるとともに圧縮状態にあり、
前記第１の部材が磁石であり、或いは、前記第１の部材の下面に磁石が設けられ、
前記磁石の磁性が前記電磁石の導電状態にあるときの磁性と同じである。
【０００９】
好ましくは、前記第２の部材及び前記水タンクの内壁の間にシールリングが設けられる。
好ましくは、前記水溝内に、前記電磁石が導電状態又は断電状態になるように制御するための少なくとも１つの水位センサーが設けられる。
【００１０】
好ましくは、前記水溝の第２の水出口が、前記水槽中の水を霧化して排出させるためのミスト発生器に接続される。
【００１１】
本発明の第２の態様は、前記第１の態様に係るいずれかの水流制御器に適用される水流制御方法を提供し、前記方法は、
前記水溝中の水位が入水条件を満足するか否かを検出するステップと、
前記水位が前記入水条件を満足すると、前記電磁石が導電状態になるように制御し、導電状態にある前記電磁石により前記コントロールユニットをトリガーして、前記第１の水出口及び前記水入口の間の通路が連通状態になるように制御して、前記水タンク中の水流が前記第１の水出口から前記水入口へ流れるようにさせるステップと、
前記水位が前記入水条件を満足しないと、前記電磁石が断電状態になるように制御し、前記コントロールユニットにより、前記第１の水出口及び前記水入口の間の通路が遮断状態になるように制御して、前記水タンク中の水流が前記第１の水出口から前記水入口へ流れないようにさせるステップと、を含む。
【００１２】
好ましくは、前記導電状態にある前記電磁石により前記コントロールユニットをトリガーして、前記第１の水出口及び前記水入口の間の通路が連通状態になるように制御するステップは、
前記磁石の磁性が前記電磁石の導電状態にあるときの磁性と逆である場合、導電状態にある前記電磁石により前記第１の部材を吸引して、前記第１の部材及び前記水タンクの外壁の間に隙間が形成されるようにして、前記第１の水出口及び前記水入口の間の通路が連通状態になるようにさせるステップと、
前記磁石の磁性が前記電磁石の導電状態にあるときの磁性と同じである場合、導電状態にある前記電磁石により前記第１の部材を反発して、前記第２の部材及び前記水タンクの内壁の間に隙間が形成されるようにして、前記第１の水出口及び前記水入口の間の通路が連通状態になるようにさせるステップと、を含む。
【００１３】
好ましくは、前記コントロールユニットにより、前記第１の水出口及び前記水入口の間の通路が遮断状態になるように制御するステップは、
前記磁石の磁性が前記電磁石の導電状態にあるときの磁性と逆である場合、圧縮状態にあるスプリングにより前記第１の部材及び前記外壁が密着するようにさせて、前記第１の水出口及び前記水入口の間の通路が遮断状態になるようにさせるステップと、
前記磁石の磁性が前記電磁石の導電状態にあるときの磁性と同じである場合、圧縮状態にあるスプリングにより前記第２の部材及び前記内壁が密着するようにさせて、前記第１の水出口及び前記水入口の間の通路が遮断状態になるようにさせるステップと、を含む。
【００１４】
好ましくは、前記水流制御器がさらにミスト発生器を備えると、前記方法は、前記ミスト発生器により前記水溝中の水を霧化して排出させるステップをさらに含む。
【００１５】
本発明の第３の態様は、水流制御装置を提供し、前記水流制御装置は、
前記第１の態様に係るいずれかの水流制御器と、
プロセッサーと、
プロセッサーにより実行可能な命令を記憶するためのメモリと、を備える水流制御装置であって、前記プロセッサーは、
前記水溝中の水位が入水条件を満足するか否かを検出し、
前記水位が前記入水条件を満足すると、前記電磁石が導電状態になるように制御し、導電状態にある前記電磁石により前記コントロールユニットをトリガーして、前記第１の水出口及び前記水入口の間の通路を連通状態になるように制御して、前記水タンク中の水流が前記第１の水出口から前記水入口へ流れるようにさせ、
前記水位が前記入水条件を満足しないと、前記電磁石が断電状態になるように制御し、断電状態にある前記電磁石により前記コントロールユニットをトリガーして、前記第１の水出口及び前記水入口の間の通路を遮断状態になるように制御して、前記水タンク中の水流が前記第１の水出口から前記水入口へ流れないように配置される。
本発明の第４の態様は、プロセッサーに実行されることにより、上記の水流制御方法を実現する、プログラムを提供する。
本発明の第５の態様は、上記プログラムが記録されたコンピュータ読取可能な記録媒体を提供する。
【発明の効果】
【００１６】
本発明が提供する技術手段によれば、以下のような作用効果を獲得できる。即ち、
電磁石が導電状態にあると、第１の水出口及び水入口の間の通路が、コントロールユニットの制御によって連通状態になり、電磁石が断電状態にあると、第１の水出口及び水入口の間の通路が、コントロールユニットの制御によって遮断状態になるように構成され、電磁石でコントロールユニットを吸引又は反発することで、水流通路の連通・遮断を制御して、ブイ所在位置のユニットで水タンク中の水流が水溝へ流れることを制御し、ユニット中の梃の軸が壊れ易くなる問題が解決され、水流制御器の使用寿命を延ばすことができる効果を奏する。
【００１７】
なお、以上の一般の記述及び後述の詳しい記述は、単に例示的なものであり、本発明を限定するものではない。
【図面の簡単な説明】
【００１８】
以下の図面は、明細書に組み入れて本明細書の一部分を構成し、本発明に該当する実施例を例示するとともに、明細書とともに本発明の原理を解釈する。
【図１】一例示的な実施例に係る水流制御器を示す概略図である。
【図２Ａ】一例示的な実施例に係る水流制御器の第１の構成を示す概略図である。
【図２Ｂ】一例示的な実施例に係る水流制御器の第１の動作を示す概略図である。
【図２Ｃ】一例示的な実施例に係る水流制御器の第２の構成を示す概略図である。
【図２Ｄ】一例示的な実施例に係る水流制御器の第２の動作を示す概略図である。
【図３】一例示的な実施例に係る水流制御方法を示すフローチャートである。
【図４】他の一例示的な実施例に係る水流制御方法を示すフローチャートである。
【図５】他の一例示的な実施例に係る水流制御方法を示すフローチャートである。
【発明を実施するための形態】
【００１９】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。それらは、特許請求の範囲に記載の本発明のある側面に一致する装置及び方法の例に過ぎない。
【００２０】
図１は、一例示的な実施例に係る水流制御器を示す概略図である。図１に示すように、前記水流制御器は、水タンク１１０、磁性を有するコントロールユニット１２０、水溝１３０、及び電磁石１４０を有する。水タンク１１０の第１の水出口１１１及び水溝１３０の水入口１３１の間はコントロールユニット１２０を介して接続される。
【００２１】
電磁石１４０が導電状態にあると、第１の水出口１１１及び水入口１３１の間の通路は、コントロールユニット１２０の制御によって連通状態になる。
【００２２】
電磁石１４０が断電状態にあると、第１の水出口１１１及び水入口１３１の間の通路は、コントロールユニット１２０の制御によって遮断状態になる。
【００２３】
以上を纏めると、本発明が提供する水流制御器は、電磁石が導電状態にあると、第１の水出口及び水入口の間の通路が、コントロールユニットの制御によって連通状態になり、電磁石が断電状態にあると、第１の水出口及び水入口の間の通路が、コントロールユニットの制御によって遮断状態になるように構成され、電磁石でコントロールユニットを吸引又は反発することで、水流通路の連通・遮断を制御して、ブイ所在位置のユニットで水タンク中の水流が水溝へ流れることを制御し、ユニット中の梃の軸が壊れ易くなる問題が解決され、水流制御器の使用寿命を延ばすことができる効果を奏する。
【００２４】
図１の水流制御器を示す概略図を参照すると、前記水流制御器は、水タンク１１０、磁性を有するコントロールユニット１２０、水溝１３０、及び電磁石１４０を有する。水タンク１１０の第１の水出口１１１及び水溝１３０の水入口１３１の間はコントロールユニット１２０を介して接続される。
【００２５】
前記水タンク１１０は、水溝１３０に水を提供するものであり、第１の水出口１１１及び水タンクの水入口（図示せず）を有する。水流は、水タンクの水入口を介して水タンク１１０に流れ込み、そして、第１の水出口１１１を介して水タンク１１０から流出する。本実施例において、第１の水出口１１１を水タンク１１０の下方に設けることで、水タンク１１０にポンピング装置を附設することなく、水流がその重力で流出することができ、資源を節約するとともに、水流制御器の構成を簡素化できる。本実施例は、水タンク１１０の形状やサイズに対して限定しない。
【００２６】
水溝１３０は水入口１３１を有し、水流は入り口１３１を介して水溝１３０に流れ込む。本実施例において、水タンク１１０中の水流が水溝１３０に流れ込むように制御し、水タンク１１０の第１の水出口１１１を水タンク１１０の下方に設ける必要があるため、水溝１３０を水タンク１１０の下方に設ける必要がある。即ち、水入口１３１を水溝１３０の上方に設けるとともに、第１の水出口１１１を水入口１３１に対向するように設ける。このとき、水タンク１１０中の水流が第１の水出口１１１及び水入口１３１を介して水溝１３０に流れ込む。本実施例は、水溝１３０の形状やサイズに対して限定しない。
【００２７】
水流に対して制御するために、水タンク１１０と水溝１３０との間に磁性を有するコントロールユニット１２０をさらに設け、電磁石１４０でコントロールユニット１２０を制御する。例えば、電磁石１４０が導電状態にあると、第１の水出口１１１及び水入口１３１の間の通路が、コントロールユニット１２０の制御によって連通状態になり、電磁石１４０が断電状態にあると、第１の水出口１１１及び水入口１３１の間の通路が、コントロールユニット１２０の制御によって遮断状態になる。また、本実施例は、電磁石１４０及び水溝１３０の位置関係に対して限定しない。
【００２８】
図２Ａに示す水流制御器の第１の構成を示す概略図を参照すると、コントロールユニット１２０は、スプリング１２１、磁性を有する第１の部材１２２、第１の部材１２２の上に位置するとともに第１の部材１２２に平行する第２の部材１２３、第１の部材１２２及び第２の部材１２３の間に位置する接続部材１２４を有し、スプリング１２１が接続部材１２４に挿通されるように構成される。
【００２９】
本実施例において、第１の部材１２２、第２の部材１２３及び接続部材１２４が「工」字状に構成される部材であってもよい。これらの３つの部材がゴムなどの軟性材料により製造される場合、第１の部材１２２、第２の部材１２３及び接続部材１２４が一体に製造されてもよい。第１の部材１２２又は第２の部材１２３を押した後、スプリング１２１が接続部材１２４に挿通されるように配置する。また、これらの３つの部件がプラスチックなどの硬い材料により製造される場合、第１の部材１２２及び接続部材１２４が一体に製造されてもよく、スプリング１２１が接続部材１２４に挿通されるように配置した後、第２の部材１２３及び接続部材１２４を接続する。或いは、第２の部材１２３及び接続部材１２４が一体に製造されてもよく、スプリング１２１が接続部材１２４に挿通されるように配置した後、第１の部材１２２及び接続部材１２４を接続する。また、スプリング１２１の直径が、第１の部材１２２及び第２の部材１２３の直径よりも小さい。
【００３０】
本実施例は、２種類のコントロールユニット１２０を提供する。以下、これら２種類のコントロールユニット１２０及び水タンク１１０の位置関係に対して説明する。
【００３１】
第１の位置関係は、第１の部材１２２が第１の水出口１１１の下を覆うとともに、水タンク１１０の外壁１１２に密着し、スプリング１２１が水タンク１１０の内壁１１３及び第２の部材１２３の間に位置されるとともに圧縮状態にあってもよい。
【００３２】
第１の部材１２２は磁石又は鉄であってもよい。或いは、第１の部材１２２の下面に磁石又は鉄が設けられてもよい。なお、磁石の磁性は、電磁石１４０の導電状態にあるときの磁性と逆になる。
【００３３】
電磁石１４０が断電状態にあると、電磁石１４０が磁力を形成しない。スプリング１２１が水タンク１１０の内壁１１３及び第２の部材１２３の間に位置し、スプリング１２１が圧縮状態にあるので、スプリング１２１が上方へ向かう弾性力を形成し、第２の部材１２３に作用し、第２の部材１２３が接続部材１２４を介して第１の部材１２２に対して上方へ向かう牽引力を形成し、第１の部材１２２が水タンク１１０の外壁１１２に密着する。このとき、水タンク１１０中の水流が第１の部材１２２に遮断されて、水溝１３０へ流れ込まない。即ち、コントロールユニット１２０は、第１の水出口１１１及び水入口１３１の間の通路が遮断されるように制御する。
【００３４】
電磁石１４０が導電状態にあると、電磁石１４０が磁力を形成する。このとき、電磁石１４０が第１の部材１２２に対して下方へ向かう吸引力を形成する。前記吸引力がスプリング１２１の弾性力よりも大きい場合、コントロールユニット１２０が下へ向かって移動される。このとき、第１の部材１２２及び水タンク１１０の外壁１１２の間が密着されなく、隙間が形成される。水タンク１１０中の水流がこの隙間を介して水溝１３０へ流れ込む。即ち、コントロールユニット１２０は、第１の水出口１１１及び水入口１３１の間の通路が連通状態になるように制御する。図２Ｂには、水流制御器の第１種の動作が示されている。
【００３５】
好ましくは、第１の部材１２２及び水タンク１１０の外壁１１２の間の密閉性を向上させるために、第１の部材１２２及び水タンク１１０の外壁１１２の間にシールリング１５０がさらに設けられてもよい。
【００３６】
第２の位置関係の場合、図２Ｃに示された水流制御器の第２種の構成を参照し、第２の部材１２３が第１の水出口１１１の上を覆うとともに、水タンク１１０の内壁１１３に密着する。スプリング１２１が水タンク１１０の外壁１１２及び第１の部材１２２の間に位置されるとともに、圧縮状態にある。
【００３７】
第１の部材１２２が磁石、或いは第１の部材１２２の下面に磁石が設けられてもよい。なお、磁石の磁性は、電磁石１４０の導電状態にあるときの磁性と同じである。
【００３８】
電磁石１４０が断電状態にあると、電磁石１４０は磁力を形成しない。スプリング１２１が水タンク１１０の外壁１１２及び第１の部材１２２の間に位置するとともに、圧縮状態にあるので、スプリング１２１が下方へ向かう弾性力を形成し、第１の部材１２２に作用し、第１の部材１２２が接続部材１２４を介して第２の部材１２３に対して下方へ向かう牽引力を形成し、第２の部材１２３が水タンク１１０の内壁１１３に密着する。このとき、水タンク１１０中の水流が第２の部材１２３により遮断されて水溝１３０へ流れ込まない。即ち、コントロールユニット１２０は、第１の水出口１１１及び水入口１３１の間の通路が遮断状態になるように制御する。
【００３９】
電磁石１４０が導電状態にあると、電磁石１４０が磁力を形成する。このとき、電磁石１４０が第１の部材１２２に対して上方へ向かう反発力を形成する。この反発力がスプリング１２１の弾性力よりも大きい場合、コントロールユニット１２０が上方へ移動する。このとき、第２の部材１２３及び水タンク１１０の内壁１１３の間が密着されなくなり、隙間が形成され、水タンク１１０中の水流がこの隙間を介して水溝１３０へ流れ込む。即ち、コントロールユニット１２０は、第１の水出口１１１及び水入口１３１の間の通路が連通状態になるように制御する。図２Ｄには、水流制御器の第２種の動作が示されている。
【００４０】
好ましくは、第２の部材１２３及び水タンク１１０の内壁１１３の間の密閉性を向上させるために、第２の部材１２３及び水タンク１１０の内壁１１３の間にシールリング１５０がさらに設けられてもよい。
【００４１】
なお、水溝１３０中の水量を精度よく制御できるようにさせるために、水溝１３０内に、電磁石１４０を導電状態又は断電状態になるように制御するための少なくとも１つの水位センサー１３２が設けられてもよい。
【００４２】
水溝１３０内に１つの水位センサー１３２が設けられる場合、水位センサー１３２により水位が予定の水位よりも低いことが検出されると、電磁石１４０が導電状態になるように制御し、水溝１３０へ排水する。また、水位が予定の水位よりも高いと、電磁石１４０が断電状態なるように制御し、水溝１３０へ排水しない。
【００４３】
水溝１３０内に少なくとも２つの水位センサー１３２が設けられる場合、その中の１つの水位センサー１３２が高水位センサーとして使われ、他の１つの水位センサー１３２を低水位センサーとして使う。低水位センサーにより水位が第１の水位よりも低いことが検出されると、電磁石１４０が導電状態になるように制御して、水溝１３０へ排水し、高水位センサーにより水位が第２の水位よりも高いことが検出されると、電磁石１４０が断電状態になるように制御して、水溝１３０へ排水しない。このようにして、水溝１３０中の水位を精度よく制御できる。なお、第２の水位が第１の水位よりも高い。
【００４４】
本実施例に係る水流制御器が加湿器に適用される場合、水流制御器がミスト発生器１６０をさらに備えてもよい。水溝１３０の第２の水出口１３３がミスト発生器１６０に接続され、ミスト発生器１６０が水溝１３０中の水を霧化して排出させるように構成される。ミスト発生器１６０の実現過程は、すでに非常に成熟になっているので、本実施例はここで贅言しない。
以上を纏めると、本発明が提供する水流制御器によれば、電磁石が導電状態にあると、第１の水出口及び水入口の間の通路が、コントロールユニットの制御によって連通状態になり、電磁石が断電状態にあると、第１の水出口及び水入口の間の通路が、コントロールユニットの制御によって遮断状態になり、電磁石でコントロールユニットを吸引又は反発することで、水流通路の連通・遮断を制御できて、ブイ所在位置にあるユニットで水タンク中の水流を水溝へ流れるように制御して、ユニット中の梃の軸が壊れやすくなる問題が解決され、水流制御器の使用寿命を延ばすことができる効果を奏する。
【００４５】
また、第１の水出口を水タンクの下方に設けることで、水タンクにポンピング設備を付設することなく、水流がその重力で流出可能になり、資源を節約するとともに、水流制御器の構成を簡素化できる。
【００４６】
また、第１の部材は、その磁性が電磁石の導電状態にあるときの磁性と同じ又は逆であってもよいので、水流制御器の複数の実施形態を提供できる。
【００４７】
また、第１の部材及び水タンクの外壁の間にシールリングを設けることで、第１の部材及び水タンクの外壁の間の密閉性を向上できる。或いは、第２の部材及び水タンクの内壁の間にシールリングを設けることで、第２の部材及び水タンクの内壁の密閉性を向上できる。
【００４８】
図３は、一例示的な実施例に係る水流制御方法を示すフローチャートである。前記水流制御方法は、図１、図２Ａ及び図２Ｂに示された水流制御器に適用可能である。図３に示すように、前記水流制御方法は、以下のステップを含む。即ち、
ステップ３０１：水溝中の水位が入水条件を満足するか否かを検出する。
【００４９】
ステップ３０２：水位が入水条件を満足すると、電磁石が導電状態になるように制御し、導電状態にある電磁石によりコントロールユニットをトリガーして、第１の水出口及び水入口の間の通路が連通状態になるように制御して、水タンク中の水流が第１の水出口から水入口へ流れるようにする。
【００５０】
ステップ３０３：水位が入水条件を満足しないと、電磁石が断電状態になるように制御し、コントロールユニットにより第１の水出口及び水入口の間の通路が遮断状態になるように制御して、水タンク中の水流が第１の水出口から水入口へ流れないようにする。
【００５１】
以上を纏めると、本発明が提供する水流制御方法によれば、水位が入水条件を満足すると、電磁石が導電状態になるように制御し、導電状態にある電磁石によりコントロールユニットをトリガーして、第１の水出口及び水入口の間の通路が連通状態になるように制御して、水タンク中の水流が第１の水出口から水入口へ流れるようにし、水位が入水条件を満足しないと、電磁石が断電状態になるように制御し、コントロールユニットにより第１の水出口及び水入口の間の通路が遮断状態になるように制御して、水タンク中の水流が第１の水出口から水入口へ流れないようにすることで、電磁石でコントロールユニットを吸引又は反発することで、水流通路の連通・遮断を制御できて、ブイ所在位置のユニットで水タンク中の水流が水溝へ流れるように制御して、ユニット中の梃の軸が壊れやすくなる問題が解決され、水流制御器の使用寿命を延ばすことができる効果を奏する。
【００５２】
図４は、他の一例示的な実施例に係る水流制御方法を示すフローチャートである。前記水流制御方法は、図１、図２Ａ及び図２Ｂ、図２Ｃ又は図２Ｄに示された水流制御器に適用可能である。図４に示すように、前記水流制御方法は、以下のステップを含む。即ち、
ステップ４０１：水溝中の水位が入水条件を満足するか否かを検出する。
【００５３】
水流制御器は、水溝中に設けられた水位センサーにより水溝の水位を検出することができ、水位が入水条件を満足するかを検出する。
【００５４】
水溝に１つの水位センサーが設けられる場合、１つの予定の水位を設けてもよい。水溝の水位が前記予定の水位に達すると、水位が入水条件を満足しないと確定する。また、水溝中の水位が前記予定の水位に達しないと、水位が入水条件を満足すると確定する。
【００５５】
水溝に少なくとも２つの水位センサーが設けられる場合、第１の水位及び第２の水位を設けてもよい。水溝中の水位が第１の水位よりも低いと、水位が入水条件を満足すると確定し、水溝中の水位が第２の水位よりも高いと、水位が入水条件を満足しないと確定する。なお、第２の水位が第１の水位よりも高い。
【００５６】
ステップ４０２：水位が入水条件を満足すると、電磁石が導電状態になるように制御する。導電状態にある電磁石により第１の部材を吸引して、第１の部材と水タンクの外壁との間に隙間を形成し、第１の水出口及び水入口の間の通路が連通状態になり、水タンク中の水流が第１の水出口から水入口へ流れる。
【００５７】
電磁石が導電状態にあると、電磁石が磁力を形成し、このとき、電磁石が第１の部材に対して下方へ向かう吸引力を形成し、前記吸引力がスプリングの弾性力よりも大きいと、コントロールユニットが下方へ向かって移動する。このとき、第１の部材及び水タンクの外壁が密着しなくなり隙間が形成され、水タンク中の水流が前記隙間を介して水溝へ流れる。即ち、コントロールユニットは第１の水出口及び水入口の間の通路が連通状態になるように制御する。このとき、水タンク中の水流が第１の水出口から水入口へ流れる。
【００５８】
ステップ４０３：水位が入水条件を満足しないと、電磁石が断電状態になるように制御し、圧縮状態にあるスプリングにより第１の部材及び外壁が密着するように制御し、第１の水出口及び水入口の間の通路が遮断状態になり、水タンク中の水流が第１の水出口から水入口へ流れない。
【００５９】
電磁石が断電状態にあると、電磁石が磁力を形成しない。また、スプリングが水タンクの内壁と第２の部材との間に位置するとともに、圧縮状態にあるので、スプリングが上方へ向かう弾性力を形成して第２の部材に作用し、第２の部材は接続部材を介して第１の部材に対して上方へ向かう牽引力を形成して、第１の部材及び水タンクの外壁が密着する。このとき、水タンク中の水流が第１の部材により遮断されて水溝へ流れない。即ち、コントロールユニットは第１の水出口及び水入口の間の通路が遮断状態になるように制御する。このとき、水タンク中の水流が第１の水出口から水入口へ流れない。
【００６０】
好ましくは、水流制御器が加湿器に適用される場合、水流制御器はミスト発生器をさらに備え、水流制御方法はミスト発生器により水溝中の水を霧化して排出させるステップをさらに含む。
【００６１】
以上を纏めると、本発明が提供する水流制御方法によれば、水位が入水条件を満足すると、電磁石が導電状態になるように制御し、導電状態にある電磁石によりコントロールユニットをトリガーして、第１の水出口及び水入口の間の通路が連通状態になるようにし、水タンク中の水流が第１の水出口から水入口へ流れるようにさせる。水位が入水条件を満足しないと、電磁石が断電状態になるように制御し、コントロールユニットにより第１の水出口及び水入口の間の通路が遮断状態になるように制御して、水タンク中の水流が第１の水出口から水入口へ流れないようにさせる。このように、電磁石によりコントロールユニットを吸引することで、水流通路の連通・遮断を制御して、ブイ所在位置のユニットにより水タンク中の水流が水溝へ流れるように制御して、ユニット中の梃の軸が壊れやすくなる問題が解決され、水流制御器の使用寿命を延ばすことができる効果を奏する。
【００６２】
図５は、他の一例示的な実施例に係る水流制御方法を示すフローチャートである。前記水流制御方法は、図１、図２Ａ、図２Ｂ、図２Ｃ又は図２Ｄに示す水流制御器に適用可能であり、前記水流制御器のコントロールユニット中の磁石の磁性が電磁石の導電状態にあるとの磁性と同じである。図５に示すように、前記水流制御方法は以下のステップを含む。即ち、
ステップ５０１：水溝中の水位が入水条件を満足するか否かを検出する。
【００６３】
水流制御器により水溝中の水位が入水条件を満足するか否かを検出する過程は、ステップ４０１を参照すればいいので、ここで贅言しない。
【００６４】
ステップ５０２：水位が入水条件を満足すると、電磁石が導電状態になるように制御し、導電状態にある電磁石により第１の部材を反発して、第２の部材と水タンクの内壁との間に隙間が形成されるようにして、第１の水出口及び水入口の間の通路が連通状態になり、水タンク中の水流が第１の水出口から水入口へ流れる。
【００６５】
電磁石が導電状態にあると、電磁石が磁力を形成する。このとき、電磁石が第１の部材に対して上方へ向かい反発力を形成し、前記反発力がスプリングの弾性力よりも大きいと、コントロールユニットが上方へ向かって移動する。このとき、第２の部材及び水タンクの内壁が密着しなくなり隙間が形成され、水タンク中の水流が前記隙間を介して水溝へ流れる。即ち、コントロールユニットにより第１の水出口及び水入口の間の通路が連通状態になるように制御する。このとき、水タンク中の水流が第１の水出口から水入口へ流れる。
【００６６】
ステップ５０３：水位が入水条件を満足しないと、電磁石が断電状態になるように制御する。また、圧縮状態にあるスプリングにより、第２の部材及び内壁が密着するように制御して、第１の水出口及び水入口の間の通路が遮断状態になるようにさせ、水タンク中の水流が第１の水出口から水入口へ流れない。
【００６７】
電磁石が断電状態にあると、電磁石が磁力を形成しない。また、スプリングが水タンクの外壁と第１の部材との間に位置するとともに圧縮状態にあるので、スプリングは下方へ向かう弾性力を形成して第１の部材に作用し、第１の部材は接続部材を介して第２の部材に対して下方へ向かう牽引力を形成して、第２の部材及び水タンクの内壁が密着するようにさせる。このとき、水タンク中の水流が第２の部材に遮断されて水溝へ流れることがない。即ち、コントロールユニットにより第１の水出口及び水入口の間の通路が遮断状態になるように制御する。このとき、水タンク中の水流が第１の水出口から水入口へ流れない。
【００６８】
好ましくは、水流制御器が加湿器に適用される場合、水流制御器はミスト発生器をさらに備え、水流制御方法は、ミスト発生器により水溝中の水を霧化して排出させるステップをさらに含む。
【００６９】
以上を纏めると、本発明が提供する水流制御方法によれば、水位が入水条件を満足すると、電磁石が導電状態になるように制御し、導電状態にある電磁石によりコントロールユニットをトリガーして、第１の水出口及び水入口の間の通路が連通状態になるようにし、水タンク中の水流が第１の水出口から水入口へ流れるようにさせる。水位が入水条件を満足しないと、電磁石が断電状態になるように制御し、コントロールユニットにより第１の水出口及び水入口の間の通路が遮断状態になるように制御して、水タンク中の水流が第１の水出口から水入口へ流れないようにさせる。このように、電磁石によりコントロールユニットを反発することで、水流通路の連通・遮断を制御して、ブイ所在位置のユニットにより水タンク中の水流が水溝へ流れるように制御して、ユニット中の梃の軸が壊れやすくなる問題が解決され、水流制御器の使用寿命を延ばすことができる効果を奏する。
【００７０】
本発明の一例示的な実施例により水流控制装置が提供され、本発明が提供する水流制御方法を実現できる。前記水流控制装置は、図１、図２Ａ、図２Ｂ、図２Ｃ又は図２Ｄに示す水流制御器、プロセッサー、プロセッサーにより実行可能な命令を記憶するためのメモリを含む
前記プロセッサーは、
水溝中の水位が入水条件を満足するか否かを検出し、
水位が入水条件を満足すると、電磁石が導電状態になるように制御し、導電状態にある電磁石によりコントロールユニットをトリガーして、第１の水出口及び水入口の間の通路を連通状態になるように制御して、水タンク中の水流が第１の水出口から水入口へ流れるようにさせ、
水位が入水条件を満足しないと、電磁石が断電状態になるように制御し、断電状態にある電磁石によりコントロールユニットをトリガーして、第１の水出口及び水入口の間の通路を遮断状態になるように制御して、水タンク中の水流が第１の水出口から水入口へ流れないように配置される。
【００７１】
当業者は、明細書を考慮し、ここでの公開を実践して、本発明の他の実施形態を容易に想到することができる。本発明は、本発明に対する任意の変形、用途、又は適応的な変化を含み、このような変形、用途、又は適応的な変化は、本発明の一般的な原理に従い、本発明で開示していない本技術分野の公知知識、又は通常の技術手段を含む。明細書及び実施例は、例示的なものにすぎず、本発明の保護範囲及び主旨は、以下の特許請求の範囲によって示される。
【００７２】
また、本発明は、上記で記述され、図面で図示した特定の構成に限定されず、その範囲を逸脱しない範囲で、様々な修正や変更を行うことができる。本発明の範囲は、添付される特許請求の範囲のみにより限定される。
【００７３】
本願は、出願番号が２０１５１０７１１７９８．５であって、出願日が２０１５年１０月２８日である中国特許出願に基づき優先権を主張し、当該中国特許出願の内容の全てを本願に援用する。
【図１】
0006427586.tif 000002
【図２Ａ】
0006427586.tif 000003
【図２Ｂ】
0006427586.tif 000004
【図２Ｃ】
0006427586.tif 000005
【図２Ｄ】
0006427586.tif 000006
【図３】
0006427586.tif 000007
【図４】
0006427586.tif 000008
【図５】
0006427586.tif 000009